(57)【要約】【課題】ＡＣＫ／ＮＡＣＫリソースの増加を抑えつつ、再送のためのリソースをより効率的に利用でき、スループットの向上を図る送信装置及びＡＣＫ／ＮＡＣＫ送信方法を提供する。【解決手段】ビット削減部１０９は、複数のＣＢの誤りパターンにＡＣＫ／ＮＡＣＫビットを対応付けたテーブルを記憶する。ＡＣＫ／ＮＡＣＫビットは複数のＣＢ数未満のビット数とする。また、ビット削減部１０９は、ＤＬ−ＳＣＨのＡＣＫ／ＮＡＣＫを取得し、取得したＡＣＫ／ＮＡＣＫに対応するＡＣＫ／ＮＡＣＫビットをテーブルから読み出す。符号化部１１０は、ビット削減部１０９から出力されたＡＣＫ／ＮＡＣＫを符号化し、インタリーバ１１１に出力し、インタリーバ１１１から受信装置に送信する。【選択図】図２
2010213067.tif 000002
【特許請求の範囲】
【請求項１】
一つのトランスポートブロックを構成する複数のコードブロックの誤りパターンに対応付けたビットを用いて、前記複数のコードブロックのＡＣＫ／ＮＡＣＫを通知するビットを前記複数のコードブロック数未満のビット数に削減するビット削減手段と、
削減された前記ＡＣＫ／ＮＡＣＫを通知するビットを符号化する符号化手段と、
符号化された前記ＡＣＫ／ＮＡＣＫを通知するビットを送信する送信手段と、
を具備する送信装置。
【請求項２】
前記ビット削減手段は、前記複数のコードブロックのうち誤ったコードブロック番号以降の再送要求に対応付けたビットを用いる請求項１に記載の送信装置。
【請求項３】
前記ビット削減手段は、前回送信と同じコードブロック番号の再送要求と、前回送信したコードブロック先頭を基準に一つ繰り上げたコードブロック番号以降の再送要求とに対応付けたビットを用いる請求項１に記載の送信装置。
【請求項４】
前記ビット削減手段は、ＡＣＫ／ＮＡＣＫ送信タイミングにコードブロックのＡＣＫ／ＮＡＣＫを対応付ける請求項１に記載の送信装置。
【請求項５】
前記ビット削減手段は、ＡＣＫ／ＮＡＣＫのＣＨＩＬの書き込み方向にコードブロックのＡＣＫ／ＮＡＣＫを対応付ける請求項１に記載の送信装置。
【請求項６】
前記ビット削減手段は、ＡＣＫ／ＮＡＣＫの符号化方式にコードブロックのＡＣＫ／ＮＡＣＫを対応付ける請求項１に記載の送信装置。
【請求項７】
一つのトランスポートブロックを構成する複数のコードブロックの誤りパターンに対応付けたビットを用いて、前記複数のコードブロックのＡＣＫ／ＮＡＣＫを通知するビットを前記複数のコードブロック数未満のビット数に削減するビット削減工程と、
削減された前記ＡＣＫ／ＮＡＣＫを通知するビットを符号化する符号化工程と、
符号化された前記ＡＣＫ／ＮＡＣＫを通知するビットを送信する送信工程と、
を具備するＡＣＫ／ＮＡＣＫ送信方法。
【発明の詳細な説明】
【技術分野】
【０００１】
本発明は、送信装置及びＡＣＫ／ＮＡＣＫ送信方法に関する。
【背景技術】
【０００２】
Uplink Shared Channel(UL-SCH)は、Hybrid ARQ(HARQ)をサポートすることが、例えば、非特許文献１等において合意されている。また、３ＧＰＰ ＬＴＥ（3rd Generation Partnership Project Long Term Evolution）においてもＨＡＲＱが採用されることが決まっている。
【０００３】
ＨＡＲＱとは、ＦＥＣ（Forward Error Correction）とＡＲＱ（Automatic Repeat Request）とを組み合わせた技術であり、ここでは、ＨＡＲＱに軟判定合成を組み合わせた技術（HARQ with soft combing）を想定する（例えば、非特許文献２参照）。
【０００４】
ＨＡＲＱでは、受信したパケットが正しく復号できたかどうかをＣＲＣなどによって判断する。正しく復号できた場合には、受信側は送信側へＡＣＫ（acknowledgement）を送信し、正しく復号できなかった場合には、受信側は送信側へＮＡＣＫ（negative acknowledgement）を送信する。送信側では、受信したＡＣＫかＮＡＣＫに応じて、新しいパケットを送るのか又はパケットを再送するのかを判断する。
【０００５】
また、ＨＡＲＱでは、受信したパケットを正しく復号できなかった場合、当該パケットを破棄するのではなく、再送されたパケットと受信側で合成する。これにより、符号化利得を増加させることができ、この結果、システムスループットを向上させることができる。
【０００６】
ここで、ＨＡＲＱをサポートするための送信装置の構成について、図１を用いて説明する。図１において、送信装置は、上位レイヤよりＴＢ（Transport Block）を受け取る。なお、ＴＢとは、符号化前のビットの集まりを指す。
【０００７】
送信装置では、ＣＲＣ部１１が上位レイヤから受け取ったＴＢに対してＣＲＣを付加し、分割部１２に出力する。分割部１２は、ＣＲＣ部１１から出力された信号をＣＢ（Code Block）単位に分割し、分割したＣＢに対しても、ＴＢと同じようにＣＲＣを付加し、ＦＥＣ符号化部１３に出力する。なお、ＣＢとは、符号化を行う最小単位である。
【０００８】
ＦＥＣ符号化部１３は、分割部１２から出力されたＣＢ毎に符号化を行ってレートマッチング部１４に出力する。レートマッチング部１４は、ＦＥＣ符号化部１３から出力された符号化データのレートマッチング処理（物理リソースのビット数に符号化後のビット数を合わせこむ作業）を行って、受信装置へ送信する。
【０００９】
一方、受信装置では、上述の送信装置から送信された信号を受信し、復号したＣＢ毎にＣＲＣをチェックする。そして、ＴＢのＣＲＣをチェックすることにより、当該パケットを正しく復号できたか又は復号に失敗したかを判断する。なお、ＬＴＥでは、ＡＣＫ又はＮＡＣＫは１ビットで通知される。
【非特許文献１】3GPP TS 36.300, “Evolved Universal Terrestrial Radio Access(E-UTRA); Overall description(Release 8)”
【非特許文献２】3GPP TS 36.212, “Evolved Universal Terrestrial Radio Access(E-UTRA); Multiplexing and Channel Coding(Release 8)”
【発明の開示】
【発明が解決しようとする課題】
【００１０】
しかしながら、上述した非特許文献１に開示のＨＡＲＱ方式では、送信側がＮＡＣＫを受信し、再送を行う場合、ＴＢ単位での再送を行うため、正しく復号されたＣＢも再送することになり、再送のためのリソースを過剰に消費するという問題がある。
【００１１】
再送のためのリソース消費量を減らすには、ＴＢ単位での再送ではなく、より細かい単位であるＣＢ単位での再送を実現すると効果的である。一方で、ＣＢ単位の再送を実現するためには、ＡＣＫ／ＮＡＣＫ送信により多くのビットを割り当てる必要があり、ＡＣＫ／ＮＡＣＫ送信用のリソース量が増加する。
【００１２】
本発明はかかる点に鑑みてなされたものであり、ＡＣＫ／ＮＡＣＫリソースの増加を抑えつつ、再送のためのリソースをより効率的に利用でき、スループットの向上を図る送信装置及びＡＣＫ／ＮＡＣＫ送信方法を提供することを目的とする。
【課題を解決するための手段】
【００１３】
本発明の送信装置は、一つのトランスポートブロックを構成する複数のコードブロックの誤りパターンに対応付けたビットを用いて、前記複数のコードブロックのＡＣＫ／ＮＡＣＫを通知するビットを前記複数のコードブロック数未満のビット数に削減するビット削減手段と、削減された前記ＡＣＫ／ＮＡＣＫを通知するビットを符号化する符号化手段と、符号化された前記ＡＣＫ／ＮＡＣＫを通知するビットを送信する送信手段と、を具備する構成を採る。
【００１４】
本発明のＡＣＫ／ＮＡＣＫ送信方法は、一つのトランスポートブロックを構成する複数のコードブロックの誤りパターンに対応付けたビットを用いて、前記複数のコードブロックのＡＣＫ／ＮＡＣＫを通知するビットを前記複数のコードブロック数未満のビット数に削減するビット削減工程と、削減された前記ＡＣＫ／ＮＡＣＫを通知するビットを符号化する符号化工程と、符号化された前記ＡＣＫ／ＮＡＣＫを通知するビットを送信する送信工程と、を具備するようにした。
【発明の効果】
【００１５】
本発明によれば、ＡＣＫ／ＮＡＣＫリソースの増加を抑えつつ、再送のためのリソースをより効率的に利用でき、スループットの向上を図ることができる。
【発明を実施するための最良の形態】
【００１６】
以下、本発明の実施の形態について、図面を参照して詳細に説明する。
【００１７】
（実施の形態１）
図２は、本発明の実施の形態１に係る送信装置の構成を示すブロック図である。この図において、ＣＲＣ付加部１０１は、上位レイヤよりＴＢを受け取り、受け取ったＴＢに対してＣＲＣを付加し、分割部１０２に出力する。
【００１８】
分割部１０２は、ＣＲＣ付加部１０１から出力された信号をＣＢ単位に分割し、分割したＣＢに対しても、ＴＢと同じようにＣＲＣを付加し、符号化部１０３に出力する。
【００１９】
符号化部１０３は、分割部１０２から出力されたＣＢ毎に符号化を行ってレートマッチング部１０４に出力する。レートマッチング部１０４は、符号化部１０３から出力された符号化データのレートマッチング処理を行って、ＣＢ連結部１０５に出力する。
【００２０】
ＣＢ連結部１０５は、レートマッチング部１０４から出力された複数のＣＢを連結し、多重化部１０７に出力する。
【００２１】
符号化部１０６は、ＣＱＩなどの制御情報を符号化し、多重化部１０７に出力する。多重化部１０７は、ＣＢ連結部１０５から出力されたＣＢと、符号化部１０６から出力された制御情報とを多重化し、インタリーバ１１１に出力する。
【００２２】
符号化部１０８は、ＲＩ（Rank Indication）を符号化し、インタリーバ１１１に出力する。
【００２３】
ビット削減部１０９は、複数のＣＢの誤りパターンにビットを対応付けたテーブルを記憶する。また、ビット削減部１０９は、ＤＬ−ＳＣＨのＡＣＫ／ＮＡＣＫを取得し、取得したＡＣＫ／ＮＡＣＫに対応するビット（ＡＣＫ／ＮＡＣＫビットという）をテーブルから読み出し、符号化部１１０に出力する。なお、ビット削減部１０９の詳細については後述する。
【００２４】
符号化部１１０は、ビット削減部１０９から出力されたＡＣＫ／ＮＡＣＫを符号化し、インタリーバ１１１に出力する。
【００２５】
インタリーバ１１１は、多重化部１０７から出力された多重信号、符号化部１０８から出力された信号、符号化部１１０から出力されたＡＣＫ／ＮＡＣＫをインタリーブし、受信装置へ送信する。
【００２６】
次に、上述したビット削減部１０９が記憶するテーブルについて説明する。ここでは、１ＴＢが５ＣＢの場合にＡＣＫ／ＮＡＣＫを４ビットに削減する場合について説明する。この場合のテーブルを一例として図３に示す。図３では、「００００」〜「１１１１」までの１６通りで５ＣＢの誤りパターンを表している。例えば、ＡＣＫ／ＮＡＣＫビットが「００００」は「全ＣＢが誤りなし」に対応しており、「０００１」は「ＣＢ＃０、１及び２に誤り」に対応している。同様に、「００１０」〜「１１１０」も図３のテーブルに示すようにＣＢの誤りパターンに対応している。また、「１１１１」は上記の組み合わせ以外の誤りパターンに対応している。このように、１ＴＢを構成する複数のＣＢ数未満のビット数に削減する対応付けを行うことにより、５ＣＢのＡＣＫ／ＮＡＣＫを４ビットで通知することができ、ＡＣＫ／ＮＡＣＫのビット数を削減することができる。
【００２７】
ここで、ビット削減部１０９におけるＡＣＫ／ＮＡＣＫビットの選択の様子について図４を用いて説明する。ここでは、ｅＮＢ（evolved Node B）から送信されたＣＢをＵＥが受信し、ＵＥがＡＣＫ／ＮＡＣＫをｅＮＢに返送するものとする。まず、ＵＥはｅＮＢから送信されたＣＢのうち、ＣＢ＃１，＃２，＃４に誤りを検出したとする。ＣＢ＃１，＃２，＃４の誤りを直接表すＡＣＫ／ＮＡＣＫビットはテーブルにないので、ＵＥはＡＣＫ／ＮＡＣＫビット「１１１１」を選択し、選択したＡＣＫ／ＮＡＣＫビットをｅＮＢに送信する。
【００２８】
ＡＣＫ／ＮＡＣＫビット「１１１１」を受信したｅＮＢは、ＣＢ＃０〜＃４の全てを再送し、ＵＥは再送されたＣＢのうち、ＣＢ＃１，＃２に誤りを検出したとする。ＵＥは、ＣＢ＃１，＃２の誤りを示すＡＣＫ／ＮＡＣＫビット「０１１１」を選択し、選択したＡＣＫ／ＮＡＣＫビットをｅＮＢに送信する。
【００２９】
ＡＣＫ／ＮＡＣＫビット「０１１１」を受信したｅＮＢは、ＣＢ＃１，＃２を再送する。
【００３０】
このように実施の形態１によれば、５ＣＢの誤りパターンに４ビットのＡＣＫ／ＮＡＣＫビットを対応付けることにより、ＡＣＫ／ＮＡＣＫを１ビット削減することができ、ＡＣＫ／ＮＡＣＫ報告用のリソース及び再送のためのリソースを減少させることができるので、周波数利用効率を向上させることができる。
【００３１】
（実施の形態２）
本発明の実施の形態２に係る送信装置は、一部の機能が異なるのみで実施の形態１の図２に示した構成と同様であるので、異なる機能について図２を援用して説明する。
【００３２】
本発明の実施の形態２に係るビット削減部１０９が記憶するテーブルについて説明する。ここでは、１ＴＢが５ＣＢの場合にＡＣＫ／ＮＡＣＫを３ビットに削減する場合について説明する。この場合のテーブルを一例として図５に示す。図５では、「０００」〜「１１１」までの８通りで５ＣＢのうち誤ったＣＢ番号以降の再送要求を表している。例えば、ＡＣＫ／ＮＡＣＫビットが「０００」は「全ＣＢが誤りなし」に対応しており、「００１」は「ＣＢ＃０以降の再送要求」に対応している。同様に、「０１０」〜「１０１」も図５のテーブルに示すようにＣＢ番号以降の再送要求に対応している。また、「１１０」「１１１」は空きを示している。このような対応付けを行うことにより、５ＣＢのＡＣＫ／ＮＡＣＫを３ビットで通知することができ、ＡＣＫ／ＮＡＣＫのビット数を削減することができる。
【００３３】
ここで、ビット削減部１０９におけるＡＣＫ／ＮＡＣＫビットの選択の様子について図６を用いて説明する。ここでは、ｅＮＢから送信されたＣＢをＵＥが受信し、ＵＥがＡＣＫ／ＮＡＣＫをｅＮＢに返送するものとする。まず、ＵＥはｅＮＢから送信されたＣＢのうち、ＣＢ＃０に誤りを検出したとする。ＵＥは、ＣＢ＃０以降の再送要求を示すＡＣＫ／ＮＡＣＫビット「００１」を選択し、選択したＡＣＫ／ＮＡＣＫビットをｅＮＢに送信する。
【００３４】
ＡＣＫ／ＮＡＣＫビット「００１」を受信したｅＮＢは、ＣＢ＃０〜＃４の全てを再送し、ＵＥは再送されたＣＢのうち、ＣＢ＃２に誤りを検出したとする。ＵＥは、ＣＢ＃２以降の再送要求を示すＡＣＫ／ＮＡＣＫビット「０１１」を選択し、選択したＡＣＫ／ＮＡＣＫビットをｅＮＢに送信する。
【００３５】
ＡＣＫ／ＮＡＣＫビット「０１１」を受信したｅＮＢは、ＣＢ＃２〜４を再送する。
【００３６】
このように実施の形態２によれば、５ＣＢのうち誤ったＣＢ番号以降の再送要求に３ビットのＡＣＫ／ＮＡＣＫビットを対応付けることにより、ＡＣＫ／ＮＡＣＫを２ビット削減することができ、ＡＣＫ／ＮＡＣＫ報告用のリソース及び再送のためのリソースを減少させることができるので、周波数利用効率を向上させることができる。
【００３７】
（実施の形態３）
本発明の実施の形態３に係る送信装置は、一部の機能が異なるのみで実施の形態１の図２に示した構成と同様であるので、異なる機能について図２を援用して説明する。
【００３８】
本発明の実施の形態３に係るビット削減部１０９が記憶するテーブルについて説明する。ここでは、１ＴＢが５ＣＢの場合にＡＣＫ／ＮＡＣＫを２ビットに削減する場合について説明する。この場合のテーブルを一例として図７に示す。図７では、「００」〜「１１」までの４通りを用い、ＡＣＫ／ＮＡＣＫビットが「００」は「全ＣＢが誤りなし」に対応しており、「０１」は「前回送信と同じＣＢ番号の再送要求」に対応している。また、「１０」は「前回送信したＣＢの先頭を一つ繰り上げたＣＢ番号以降の再送要求」に対応しており、「１１」は「全ＣＢの再送要求」に対応している。このような対応付けを行うことにより、５ＣＢのＡＣＫ／ＮＡＣＫを２ビットで通知することができ、ＡＣＫ／ＮＡＣＫのビット数を削減することができる。
【００３９】
ここで、ビット削減部１０９におけるＡＣＫ／ＮＡＣＫビットの選択の様子について図８を用いて説明する。ここでは、ｅＮＢから送信されたＣＢをＵＥが受信し、ＵＥがＡＣＫ／ＮＡＣＫをｅＮＢに返送するものとする。まず、ＵＥはｅＮＢから送信されたＣＢのうち、ＣＢ＃０に誤りを検出したとする。ＵＥは、全ＣＢの再送要求を示すＡＣＫ／ＮＡＣＫビット「１１」を選択し、選択したＡＣＫ／ＮＡＣＫビットをｅＮＢに送信する。
【００４０】
ＡＣＫ／ＮＡＣＫビット「１１」を受信したｅＮＢは、ＣＢ＃０〜＃４の全てを再送し、ＵＥは再送されたＣＢのうち、ＣＢ＃２に誤りを検出したとする。ＵＥは、前回送信したＣＢの先頭（ここではＣＢ＃０）を一つ繰り上げたＣＢ番号（ここではＣＢ＃１）以降の再送要求を示すＡＣＫ／ＮＡＣＫビット「１０」を選択し、選択したＡＣＫ／ＮＡＣＫビットをｅＮＢに送信する。
【００４１】
ＡＣＫ／ＮＡＣＫビット「１０」を受信したｅＮＢは、ＣＢ＃１〜４を再送する。
【００４２】
このように実施の形態３によれば、前回送信と同じＣＢ番号の再送要求と、前回送信したＣＢ先頭を基準に一つ繰り上げたＣＢ番号以降の再送要求とに２ビットのＡＣＫ／ＮＡＣＫビットを対応付けることにより、ＡＣＫ／ＮＡＣＫを３ビット削減することができ、ＡＣＫ／ＮＡＣＫ報告用のリソース及び再送のためのリソースを減少させることができるので、周波数利用効率を向上させることができる。
【００４３】
（実施の形態４）
本発明の実施の形態４に係る送信装置は、一部の機能が異なるのみで実施の形態１の図２に示した構成と同様であるので、異なる機能について図２を援用して説明する。
【００４４】
本発明の実施の形態４に係るビット削減部１０９が記憶するテーブルについて説明する。ここでは、１ＴＢが５ＣＢの場合において、送信タイミングでＣＢ＃４のＡＣＫ／ＮＡＣＫを通知するものとする。この場合のテーブルを一例として図９に示す。図９では、ＡＣＫ／ＮＡＣＫ送信タイミングが「＋０サブフレーム」は「ＣＢ＃４の再送要求」に対応し、ＡＣＫ／ＮＡＣＫ送信タイミングが「＋１サブフレーム」は「ＣＢ＃４のＡＣＫ」に対応している。
【００４５】
ここで、ＡＣＫ／ＮＡＣＫビットを送信する様子について図１０を用いて説明する。図１０（Ａ）では、ＵＥはｅＮＢから送信されたＣＢのうち、ＣＢ＃１、＃４に誤りを検出したとする。ＵＥは、ＣＢ＃０〜＃３については各ＣＢについてのＡＣＫ／ＮＡＣＫを示す「１０１１」を選択すると共に、ＣＢ＃４については送信タイミングを基準送信タイミングからずらさないで（＋０サブフレームずらす）送信することによってｅＮＢに通知する。
【００４６】
図１０（Ｂ）では、ＵＥはｅＮＢから送信されたＣＢのうち、ＣＢ＃１に誤りを検出したとする。ＵＥは、ＣＢ＃０〜＃３については各ＣＢについてのＡＣＫ／ＮＡＣＫを示す「１０１１」を選択すると共に、ＣＢ＃４については送信タイミングを基準送信タイミングからずらして（＋１サブフレームずらす）送信することによってｅＮＢに通知する。
【００４７】
このように実施の形態４によれば、ＡＣＫ／ＮＡＣＫ送信タイミングにＣＢのＡＣＫ／ＮＡＣＫを対応付けることにより、ＡＣＫ／ＮＡＣＫを削減することができ、ＡＣＫ／ＮＡＣＫ報告用のリソース及び再送のためのリソースを減少させることができるので、周波数利用効率を向上させることができる。
【００４８】
（実施の形態５）
本発明の実施の形態５に係る送信装置は、一部の機能が異なるのみで実施の形態１の図２に示した構成と同様であるので、異なる機能について図２を援用して説明する。
【００４９】
本発明の実施の形態５に係るビット削減部１０９が記憶するテーブルについて説明する。ここでは、１ＴＢが５ＣＢの場合において、ＡＣＫ／ＮＡＣＫのＣＨＩＬの書き込み方向でＣＢ＃４のＡＣＫ／ＮＡＣＫを通知するものとする。この場合のテーブルを一例として図１１に示す。図１１では、ＡＣＫ／ＮＡＣＫ書き込み方向が「ｆ−ｉｎｄｅｘが小さくなる方向（上方向）」は「ＣＢ＃４の再送要求」に対応し（図１２（Ａ）参照）、ＡＣＫ／ＮＡＣＫ書き込み方向が「ｆ−ｉｎｄｅｘが大きくなる方向（下方向）」は「ＣＢ＃４のＡＣＫ」に対応している（図１２（Ｂ）参照）。
【００５０】
なお、ｅＮＢは、上方向及び下方向からそれぞれ復調を行い、例えば、尤度の絶対値が大きい方向に書き込まれたと判断することにより、書き込み方向を判別することができる。
【００５１】
このように実施の形態５によれば、ＡＣＫ／ＮＡＣＫのＣＨＩＬの書き込み方向にＣＢのＡＣＫ／ＮＡＣＫを対応付けることにより、ＡＣＫ／ＮＡＣＫを削減することができ、ＡＣＫ／ＮＡＣＫ報告用のリソース及び再送のためのリソースを減少させることができるので、周波数利用効率を向上させることができる。
【００５２】
（実施の形態６）
本発明の実施の形態６に係る送信装置は、一部の機能が異なるのみで実施の形態１の図２に示した構成と同様であるので、異なる機能について図２を援用して説明する。
【００５３】
本発明の実施の形態６に係るビット削減部１０９が記憶するテーブルについて説明する。ここでは、１ＴＢが５ＣＢの場合において、ＡＣＫ／ＮＡＣＫの符号化方式でＣＢ＃４のＡＣＫ／ＮＡＣＫを通知するものとする。この場合のテーブルを一例として図１３に示す。図１３では、ＡＣＫ／ＮＡＣＫの符号化方式が「リードミューラー（Reed-Muller）符号化方式」は「ＣＢ＃４の再送要求」に対応し、ＡＣＫ／ＮＡＣＫの符号化方式が「Tail-Biting畳み込み符号化方式」は「ＣＢ＃４のＡＣＫ」に対応している。
【００５４】
なお、ｅＮＢは、ブラインド復号を行い、ＣＲＣがＯＫになった方の符号化方式で送られたと判断することができる。
【００５５】
このように実施の形態６によれば、ＡＣＫ／ＮＡＣＫの符号化方式にＣＢのＡＣＫ／ＮＡＣＫを対応付けることにより、ＡＣＫ／ＮＡＣＫを削減することができ、ＡＣＫ／ＮＡＣＫ報告用のリソース及び再送のためのリソースを減少させることができるので、周波数利用効率を向上させることができる。
【００５６】
（実施の形態７）
本発明の実施の形態７では、上述した実施の形態１から実施の形態５を組み合わせた場合について説明する。
【００５７】
本発明の実施の形態７に係る送信装置は、一部の機能が異なるのみで実施の形態１の図２に示した構成と同様であるので、異なる機能について図２を援用して説明する。
【００５８】
本発明の実施の形態７に係るビット削減部１０９が記憶するテーブルについて説明する。ここでは、１ＴＢが５ＣＢの場合において、ＡＣＫ／ＮＡＣＫビット、ＡＣＫ／ＮＡＣＫの送信タイミング及びＡＣＫ／ＮＡＣＫのＣＨＩＬの書き込み方向でＣＢ＃０〜＃４のＡＣＫ／ＮＡＣＫを通知するものとする。この場合のテーブルを一例として図１４に示す。図１４では、例えば、ＡＣＫ／ＮＡＣＫビットが「０」、ＡＣＫ／ＮＡＣＫ送信タイミングが「＋１サブフレーム」、かつ、ＣＨＩＬ書き込み方向が「ｆ−ｉｎｄｅｘが小さくなる方向」の場合、「全ＣＢは誤りなし」に対応している。同様に、図１４のテーブルに示すように５ＣＢの誤りパターンを表している。
【００５９】
このように実施の形態７によれば、ＡＣＫ／ＮＡＣＫビット、ＡＣＫ／ＮＡＣＫの送信タイミング及びＡＣＫ／ＮＡＣＫのＣＨＩＬの書き込み方向にＣＢのＡＣＫ／ＮＡＣＫを対応付けることにより、ＡＣＫ／ＮＡＣＫを削減することができ、ＡＣＫ／ＮＡＣＫ報告用のリソース及び再送のためのリソースを減少させることができるので、周波数利用効率を向上させることができる。
【産業上の利用可能性】
【００６０】
本発明にかかる送信装置及びＡＣＫ／ＮＡＣＫ送信方法は、３ＧＰＰ ＬＴＥなどの移動通信システムに適用できる。
【図面の簡単な説明】
【００６１】
【図１】ＨＡＲＱをサポートするための送信装置の構成を示すブロック図
【図２】本発明の実施の形態１に係る送信装置の構成を示すブロック図
【図３】本発明の実施の形態１に係るテーブルを示す図
【図４】図２に示したビット削減部におけるＡＣＫ／ＮＡＣＫビットの選択の様子を示す図
【図５】本発明の実施の形態２に係るテーブルを示す図
【図６】本発明の実施の形態２に係るＡＣＫ／ＮＡＣＫビットの選択の様子を示す図
【図７】本発明の実施の形態３に係るテーブルを示す図
【図８】本発明の実施の形態３に係るＡＣＫ／ＮＡＣＫビットの選択の様子を示す図
【図９】本発明の実施の形態４に係るテーブルを示す図
【図１０】本発明の実施の形態４に係るＡＣＫ／ＮＡＣＫビットを送信する様子を示す図
【図１１】本発明の実施の形態５に係るテーブルを示す図
【図１２】ＡＣＫ／ＮＡＣＫのＣＨＩＬの書き込み方向の説明に供する図
【図１３】本発明の実施の形態６に係るテーブルを示す図
【図１４】本発明の実施の形態７に係るテーブルを示す図
【符号の説明】
【００６２】
１０１  ＣＲＣ付加部
１０２  分割部
１０３  符号化部
１０４  レートマッチング部
１０５  ＣＢ連結部
１０６、１０８、１１０  符号化部
１０７  多重化部
１０９  ビット削減部
１１１  インタリーバ
【図１】
2010213067.tif 000003
【図２】
2010213067.tif 000004
【図３】
2010213067.tif 000005
【図４】
2010213067.tif 000006
【図５】
2010213067.tif 000007
【図６】
2010213067.tif 000008
【図７】
2010213067.tif 000009
【図８】
2010213067.tif 000010
【図９】
2010213067.tif 000011
【図１０】
2010213067.tif 000012
【図１１】
2010213067.tif 000013
【図１２】
2010213067.tif 000014
【図１３】
2010213067.tif 000015
【図１４】
2010213067.tif 000016